(57)【要約】【課題】  子機が親機の通信圏外にあるときに親機に着信があった場合に、親機と子機の着信履歴データを共通化できるようにする。【解決手段】  親機１０は、着信履歴データを記憶する親機記憶部１３と、親機１０が子機２０を呼出した際に、子機２０からのＡＣＫ信号を受信したか否かを判別するＡＣＫ判定手段１８と、ＡＣＫ判定手段１８においてＡＣＫ信号を受信していないと判断した場合に、親機記憶部１３に記憶されている着信履歴データを子機２０に送信する親機データ送信手段１９と、を備え、子機２０は、親機が子機を呼出した際にＡＣＫ信号を送信するＡＣＫ信号送信手段２７と、親機１０によって送信された着信履歴データを受信する子機データ受信手段２８と、親機１０からの呼出しによって生じた着信履歴データ、及び子機データ受信手段２８によって受信した着信履歴データを記憶する子機記憶部２３と、を備える。【選択図】  図１
2009232231.tif 000002
【特許請求の範囲】
【請求項１】
外部電話回線に接続される親機と、前記親機と内部電話回線によって接続される子機から構成され、前記外部電話回線から親機に着信があると、前記親機は前記内部電話回線によって前記子機を呼出す電話システムにおいて、
前記親機は、前記外部電話回線からの着信によって発生した着信履歴データを記憶する親機記憶手段と、
前記親機が前記子機を呼出した際に、この呼出しによる着信が前記子機にあったことを示す応答信号を前記子機から受信したか否かを判定する判定手段と、
前記判定手段において応答信号を受信していないと判定した場合に、前記親機記憶手段に記憶されている着信履歴データを前記子機に送信するデータ送信手段と、を備え、
前記子機は、前記呼出しによる着信があると前記応答信号を送信する信号送信手段と、
前記親機によって送信された着信履歴データを受信するデータ受信手段と、
前記親機からの呼出しによる着信によって生じた着信履歴データや前記データ受信手段によって受信した着信履歴データを記憶する子機記憶手段と、を備えることを特徴とする電話システム。
【請求項２】
前記子機は、前記親機に対して通信圏内にあることを通知する通知手段を備え、前記データ送信手段は、前記通知手段による通知があると、前記親機記憶手段に記憶されている着信履歴データを前記子機に送信することを特徴とする請求項１に記載の電話システム。
【請求項３】
外部電話回線に接続される親機と、前記親機と内部電話回線によって接続される子機から構成され、前記外部電話回線から親機に着信があると、前記親機は前記内部電話回線によって前記子機を呼出す電話システム着信履歴データ送信方法であって、
前記外部電話回線からの着信によって発生した着信履歴データを親機において記憶するステップと、
前記親機が前記子機を呼出した際に、この呼出しによる着信が前記子機にあったことを示す応答信号を前記子機から前記親機に送信するステップと、
前記応答信号を受信したか否かを前記親機において判定するステップと、
前記応答信号を受信していないと判定した場合に、前記親機に記憶されている前記着信履歴データを前記子機に送信するステップと、
前記子機において、前記親機から受信した前記着信履歴データを記憶するステップと、を含むことを特徴とする電話システムにおける着信履歴データ送信方法。
【請求項４】
前記子機が前記親機に対して通信圏内にあることを通知するステップをさらに含み、
前記親機の着信履歴データを前記子機に送信するステップは、前記子機が通信圏内にあることを通知すると行われることを特徴とする請求項３に記載の親子電話システムにおける着信履歴データ送信方法。
【発明の詳細な説明】
【技術分野】
【０００１】
本発明は、コードレス電話等の、親機と子機からなり、外線への着信或いは発信や内線通話を行うことができる親子電話システムとその着信履歴データ送信方法に関し、より詳細には、親子電話システムにおいて親機と子機において共通の着信履歴データを保持することが可能な親子電話システムとその着信履歴データ送信方法に関するものである。
【背景技術】
【０００２】
従来から外部の電話回線（外線）に接続された一台の電話機を親機とし、これに幾つかの子機が無線通信機能を用いた内部電話回線（内線）によって接続されたコードレスタイプの親子電話システムが知られており、外線からの着信があると、親機は所定の子機或いは全ての子機を呼出し、親機又は呼出した子機のうち親機から送信される電波を受信できる通信圏内にある子機において通話を行うことができる。
【０００３】
また、現在普及している相手先電話番号表示サービスに加入していれば、外線着信時に、発信元の電話番号を電話機のディスプレイ等に表示させることができる電話機や、この発信元の電話番号を着信履歴データとして記憶しておいたり、電話帳に登録させたりすることで、記憶された着信履歴データや登録された電話帳から発信先を検索するなどして発信することができる電話機も知られている。
【０００４】
このような電話機を採用している親子電話システムにおいて外線からの着信があると、発信元の電話番号が親機に表示されて記憶されるだけでなく、親機が内線によってこの着信を転送し、子機を呼出す際に、子機にもこの電話番号が通知されるので、この着信を受けた子機においても発信元の電話番号を表示させたり記憶させたりすることができる。従って、このような親子電話システムにおいては、外線から着信があると、同一の電話番号を親機と子機にそれぞれ表示させたり記憶させたりすることができる。
【０００５】
しかしながら、子機が親機の通信圏外にある場合には、外線から親機に着信があり、これに応じて親機が子機を呼出したとしても、子機には着信されない。従って、子機が通信圏外にある場合には、親機には着信履歴データが記憶されるのに対して、子機には着信履歴データが残らないため、親機と子機で共通の着信履歴データを保持することはできない。そのために、子機が親機の通信圏外にあった際に親機に着信のあった発信元電話番号に、子機の着信履歴データから発信しようとしても、子機にはその電話番号の着信履歴データが記憶されていないので発信をすることができなかった。
【０００６】
下記特許文献１（特開平１０−３０４４５８号公報）には、上記のような不都合を解消するためのコードレス電話機が開示されている。このコードレス電話機では、親機において公衆網からの着呼があると、子機を呼出し、子機が電波到達圏外などの理由で子機からの応答がない場合には応答待機時間が経過するまで該子機の呼び出しを続け、応答待機時間が経過すると、親機において着信動作を行い発信者に対してメッセージを吹き込むよう促すアナウンスを流して発信者からのメッセージを録音する。その後、当該子機が電波到達圏内に復帰すると、親機の方から子機を呼出し、録音したメッセージを再生する。
【０００７】
さらに、下記特許文献１に開示されたコードレス電話機では、子機からあらかじめ番号再生用に特別に割り当てられた内線番号にて発呼を受けると、親機は一旦着信した後切断する。その後、電話番号記憶部にその子機と関連付けられた発信者電話番号を発番号として、その子機を呼出す。その後子機の応答を待たずに切断し、次の電話番号を検索して発呼する動作を繰り返す。子機は着信に応答できなかった場合に着信履歴として、発信者の電話番号を記録する機能をもっており、この機能を利用して、親機から通知される発信者電話番号を着信履歴に記憶させ、その後電話帳登録操作を行うことによって、親機に登録されている電話番号を子機に登録することができる。
【特許文献１】特開平１０−３０４４５８号公報（段落［００７１］、［００７２］、［００７８］、［００７９］）
【発明の開示】
【発明が解決しようとする課題】
【０００８】
ところで、上記特許文献１に開示されたコードレス電話機において、親機から子機に電話番号を転送する場合は、親機は、まず子機から着信を受けなければならないことに加え、親機に記憶されている電話番号を子機に通知するために、該当する電話番号を発番号として子機に電話をかける必要があり、処理が複雑となり時間もかかるという問題点があった。さらに、転送すべき電話番号が多数ある場合には発信、着信、切断処理を複数回繰返し行う必要があり、処理がさらに複雑であり時間もかかるという問題点があった。
【０００９】
また、上記特許文献１に開示されたコードレス電話機において、子機が電波到達圏内に復帰した際に、親機が子機を呼出して録音メッセージを再生する方法を応用し、録音メッセージの代わりに電話番号データを子機に送信したとしても、親機は子機を呼出さなければならないし、子機が親機の電波到達圏内にあるか否かの判断を具体的にどのように行うかについては明確に示されていなかった。
【００１０】
従って、本発明の目的は、子機が親機の通信圏外にあるときに親機に着信があった際に着信のあった着信履歴データが子機に反映されないため、親機と子機の間で着信履歴データが異なってしまうという不都合を解消することにあり、子機から親機を呼出したり、親機が子機を呼出したりするという複雑な処理を行うことなくより簡単に親機から子機に着信履歴データを転送し、親機と子機の着信履歴データ、ひいては親機と子機の電話帳データを共通化できるようにすることにある。
【課題を解決するための手段】
【００１１】
前記課題を解決するため、本願の請求項１に係る発明は、外部電話回線に接続される親機と、前記親機と内部電話回線によって接続される子機から構成され、前記外部電話回線から親機に着信があると、前記親機は前記内部電話回線によって前記子機を呼出す電話システム（例えば下記実施例では、コードレス電話システム１に相当する）において、前記親機は、前記外部電話回線からの着信によって発生した着信履歴データを記憶する親機記憶手段（例えば下記実施例では、親機記憶部１３に相当する）と、前記親機が前記子機を呼出した際に、この呼出しによる着信が前記子機にあったことを示す応答信号を前記子機から受信したか否かを判定する判定手段（例えば下記実施例では、ＡＣＫ判定部１８に相当する）と、前記判定手段において応答信号を受信していないと判定した場合に、前記親機記憶手段に記憶されている着信履歴データを前記子機に送信するデータ送信手段（例えば下記実施例では、親機データ送信部１９に相当する）と、を備え、前記子機は、前記呼出しによる着信があると前記応答信号を送信する信号送信手段（例えば下記実施例では、ＡＣＫ信号送信部２７に相当する）と、前記親機によって送信された着信履歴データを受信するデータ受信手段（例えば下記実施例では、子機データ受信部２８に相当する）と、  前記親機からの呼出しによる着信によって生じた着信履歴データや前記データ受信手段によって受信した着信履歴データを記憶する子機記憶手段（例えば下記実施例では、子機記憶部２３に相当する）と、を備えることを特徴とする。
【００１２】
また、本願の請求項２に係る発明は、請求項１に係る電話システムにおいて、前記子機は、前記親機に対して通信圏内にあることを通知する通知手段（例えば下記実施例では、圏内通知送信部２９に相当する）を備え、前記データ送信手段は、前記通知手段による通知があると、前記親機記憶手段に記憶されている着信履歴データを前記子機に送信することを特徴とする。
【００１３】
また、本願の請求項３に係る発明は、外部電話回線に接続される親機と、前記親機と内部電話回線によって接続される子機から構成され、前記外部電話回線から親機に着信があると、前記親機は前記内部電話回線によって前記子機を呼出す電話システム着信履歴データ送信方法であって、前記外部電話回線からの着信によって発生した着信履歴データを親機において記憶するステップと、前記親機が前記子機を呼出した際に、この呼出しによる着信が前記子機にあったことを示す応答信号を前記子機から前記親機に送信するステップと、前記応答信号を受信したか否かを前記親機において判定するステップと、前記応答信号を受信していないと判定した場合に、前記親機に記憶されている前記着信履歴データを前記子機に送信するステップと、前記子機において、前記親機から受信した前記着信履歴データを記憶するステップと、を含むことを特徴とする。
【００１４】
また、本願の請求項４に係る発明は、請求項３に係る電話システムにおける着信履歴データ送信方法において、前記子機が前記親機に対して通信圏内にあることを通知するステップをさらに含み、前記親機の着信履歴データを前記子機に送信するステップは、前記子機が通信圏内にあることを通知すると行われることを特徴とする。
【発明の効果】
【００１５】
本発明の電話システムは、次のような効果を奏する。すなわち、請求項１または請求項３に係る発明においては、外部電話回線から親機に着信があった際に、親機は、親機に接続されている全ての子機、あるいは所定の子機を呼出す。こうすることで、外部電話回線からの着信電話番号は子機にも通知される。そして、親機からの呼出しを子機が正常に受信すれば、そのことを親機に通知する応答信号送信手段を子機側に設け、この応答信号を受信したか否かの判定手段を親機側に設けることによって、子機が親機からの着信呼出しを正常に受信したかどうかを親機において判別できるようにする。
【００１６】
このような構成によれば、親機が子機からの応答信号を受信していれば、着信履歴が正常に記憶されたとみなし、この場合子機には外部電話回線からの着信電話番号が記憶される。一方で、応答信号を受信していなければ、例えば子機が通信圏外にいたり、通信エラーが生じていたりするものとみなされ、親機は所定のタイミングで着信履歴データを子機に送信する。これにより、親機に記憶保持されている着信履歴データと子機に記憶されている着信履歴データとを共通して保持することが可能となる。
【００１７】
また、請求項２または請求４に係る発明においては、前記子機から前記親機に対して通信圏内にあることが通知されると前記親機記憶手段に記憶されている着信履歴データを前記子機に送信するようにする。
【００１８】
このような構成によれば、子機が親機との通信圏内に戻ってきたことを親機が判別でき、子機が親機の通信圏内にある場合には、親機に保持されていた着信履歴データを子機に自動的に送信することが可能となり、親機、子機ともに同一の着信履歴データを保持することが容易に可能となる。
【発明を実施するための最良の形態】
【００１９】
以下、本発明の具体例を実施例及び添付の図面を用いて詳細に説明する。但し、以下に示す実施例は、本発明の技術思想を具体化するためのコードレス電話システムを例示するものであって、本発明をこのコードレス電話システムに特定することを意図するものではなく、特許請求の範囲に含まれるその他の実施形態の電話システムにも等しく適用し得るものである。
【実施例】
【００２０】
図１は、本発明の実施例にかかるコードレス電話システムの全体概略図である。図２は、図１のコードレス電話システムを構成する親機の内部ブロック図である。図３は、図１のコードレス電話システムを構成する子機の内部ブロック図である。図４は、本発明の実施例にかかるコードレス電話システムにおいて着信履歴データを送信する方法を示すフローチャートである。
【００２１】
図１を参照すると、コードレス電話システム１は、親機１０と、複数台の子機２０（図１では２台）から構成される。親機１０は、外部電話回線３によって公衆電話回線網２に接続される。また、親機１０と子機２０とは内部電話回線４によって互いに接続されている。内部電話回線４は無線によって構成されており、これにより親機１０が固定的に使用されるのに対し、子機２０は自由に移動させながら、或いは使用者が移動しながら使用することが可能である。公衆電話回線網２から外部電話回線３を介して親機１０に着信があると、親機１０は子機２０を内部電話回線４によって呼出し、親機１０においても子機２０においても応答して通話することができる。
【００２２】
また、子機２０から公衆電話回線網２に接続された相手先と通話する際は、子機２０から発信すると、子機２０は内部電話回線４、親機１０、外部電話回線３を介して公衆電話回線網２に接続された相手先と回線を接続して通話を行うことができる。
【００２３】
次に、図２を参照して、本実施例のコードレス電話システム１を構成する親機１０の構成を説明する。親機１０は、制御部１１、操作・表示部１２、親機記憶部１３、音声入出力部１４、電話回線制御部１５、音声信号処理部１６、無線部１７、ＡＣＫ判定部１８、親機データ送信部１９を備えて構成される。なお、親機記憶部１３は本発明の親機記憶手段に相当し、ＡＣＫ判定部１８は本発明の判定手段に相当し、親機データ送信部１９は本発明のデータ送信手段に相当する。
【００２４】
制御部１１は、ＣＰＵ、ＲＯＭ、ＲＡＭから構成されるマイクロプロセッサ等から構成され、ＲＯＭやＲＡＭに記憶された各種プログラムをＣＰＵにおいて実行することによって、親機１０を構成する各部の動作を制御する。操作・表示部１２は、電話をかけるときの番号等を入力するためのダイヤルボタンや各種の機能操作ボタンから構成される操作部と発信時や着信時の相手先の電話番号などを表示する液晶ディスプレイ等の表示部とから構成される。
【００２５】
親機記憶部１３は、メモリから構成され、これには親機１０にかかってきた相手先電話番号による着信履歴データや、ユーザが登録した電話番号等の情報からなる電話帳データ等が記憶されている。音声入出力部１４は、マイク、スピーカ、音声コーデック等から構成され、電気信号を音声信号に変換したり音声信号を通信可能な電気信号に変換したりするためのものである。
【００２６】
電話回線制御部１５は、外部電話回線３から着信を受けたり、外部電話回線３に対して発信を行ったりする制御を行う。また、電話回線制御部１５は、外部電話回線３から着信を受けた場合に、全ての子機２０、或いは予め外線の電話番号に対応して登録された所定の子機２０にこれを転送することによって子機２０の呼出しを行う。
【００２７】
音声信号処理部１６は、外部電話回線３から受信した信号を復調して音声入出力部１４に出力したり、音声入出力部１４からの電気信号を変調して外部電話回線３に送信したり、或いは外部電話回線３から受信した信号を子機２０に無線部１７を介して送信できるようにしたり、子機２０から無線部１７を介して受信した信号を外部電話回線３に送信できるようにしたりする。
【００２８】
無線部１７は、親機１０と子機２０の間で音声信号や着信・発信等の接続信号や後述する電話帳履歴データ等の信号を無線信号に変換して送信したり、受信した無線信号を復調したりするもので、この無線信号の送受信によって形成される通信網が内部電話回線４を構成している。
【００２９】
ＡＣＫ判定部１８は、外部電話回線３からの着信に応じて親機１０が子機２０を呼出した際に、子機２０がこれを正常に受信することができれば、これに応じて親機１０に対して子機２０が送信するＡＣＫ信号を親機１０において受信したか否かを判別するものである。このＡＣＫ信号は、外部電話回線３からの着信が相手先電話番号表示着信である場合には、相手先電話番号データを正常に受信したことを示し、相手先電話番号表示着信でない場合には、子機２０が単に着信状態になったことを示している。
【００３０】
親機データ送信部１９は、親機記憶部１３に記憶されている着信履歴データを無線部１７を介して子機２０に送信するためのものである。
【００３１】
次に、図３を参照して、本実施例のコードレス電話システム１を構成する子機２０の構成を説明する。子機２０は、制御部２１、操作・表示部２２、子機記憶部２３、音声入出力部２４、音声信号処理部２５、無線部２６、ＡＣＫ信号送信部２７、子機データ受信部２８、圏内通知送信部２９を備えて構成される。なお、子機記憶部２３は本発明の子機記憶手段に相当し、ＡＣＫ信号送信部２７は本発明の信号送信手段に相当し、子機データ受信部２８は本発明のデータ受信手段に相当する。
【００３２】
制御部２１は、ＣＰＵ、ＲＯＭ、ＲＡＭから構成されるマイクロプロセッサ等から構成され、ＲＯＭやＲＡＭに記憶された各種プログラムをＣＰＵにおいて実行することによって、子機２０を構成する各部の動作を制御する。操作・表示部２２は、電話をかけるときの番号等を入力するためのダイヤルボタンや各種の機能操作ボタンから構成される操作部と発信時や着信時の相手先の電話番号などを表示する液晶ディスプレイ等の表示部から構成される。
【００３３】
子機記憶部２３はメモリから構成され、これには親機１０から内部電話回線４を介して子機２０にかかってきた電話番号による着信履歴データ、或いは本実施例における着信履歴データ送信方法によって親機１０から送信されてきた着信履歴データ、及びユーザが登録した電話番号等の情報からなる電話帳データ等が記憶されている。音声入出力部２４はマイク、スピーカ、音声コーデック等から構成され、電気信号を音声信号に変換したり音声信号を通信可能な電気信号に変換したりするためのものである。
【００３４】
音声信号処理部２５は、親機１０から無線部２６を介して受信した信号を復調して音声入出力部２４に出力したり、音声入出力部２４から出力された信号を変調し、無線部２６を介して親機１０に送信したりできるようにする。無線部２６は、親機１０と子機２０の間で音声信号や着信・発信等の接続信号を無線信号に変換して送信したり、受信した電話帳履歴データ等の無線信号を復調したりする。
【００３５】
ＡＣＫ信号送信部２７は、親機１０が内部電話回線４を介して外部電話回線３からの着信に応じて子機２０を呼出した際に、子機２０がこれを正常に受信した場合に、相手先電話番号データを正常に受信したことなどを示すＡＣＫ信号を親機１０に対して無線部２６を介して送信する。
【００３６】
子機データ受信部２８は、親機１０から着信履歴データが送信された際に、無線部２６を介してそれらのデータを受信するためのものである。圏内通知送信部２９は、子機２０が親機１０に対して通信圏内にあることを通知するための信号を送信するものであり、この信号は所定時間間隔ごとに無線部２６を介して送信される。
【００３７】
次に、図４を参照して、本実施例のコードレス電話システム１における着信履歴データ送信方法について詳細に説明する。まず、ステップＳ４０１において、親機１０の電話回線制御部１５が外部電話回線３から外線の着信を受けると、ステップＳ４０２において、親機１０の制御部１１は電話回線制御部１５及び音声信号処理部１６を制御することにより、この親機１０に内部電話回線４によって接続されている全ての子機子２０−１および２０−２に無線部１７を介して外線の着信を転送する。なお、外線の着信は所定の子機２０−１または２０−２のみに転送してもよい。
【００３８】
ステップＳ４０２の外線着信の転送と同時に、ステップＳ４０３において、制御部１１は着信履歴データとして着信が相手先電話番号表示着信である場合には外線の電話番号と着信日時を親機記憶部１３に記憶し、着信が相手先電話番号表示着信でない場合には着信日時のみを親機記憶部１３に記憶することによって着信履歴を更新する。
【００３９】
一方、通信圏内にある子機２０−１は、ステップＳ５０１において、制御部２１が音声信号処理部２５を制御することにより内部電話回線４を介して外線を正常に着信し、ステップＳ５０２において、子機２０−１のＡＣＫ信号送信手段２７が外線を正常に着信したことを示す応答信号であるＡＣＫ信号を無線部２６を介して親機１０に送信する。
【００４０】
そして、ステップＳ５０２のＡＣＫ信号の送信と同時に、ステップＳ５０３において、子機２０−１の制御部２１は着信履歴データとして着信が相手先電話番号表示着信である場合には子機２０−１に着信のあった電話番号と着信日時を子機記憶部２３に記憶し、着信が相手先電話番号表示着信でない場合には着信日時のみを子機記憶部２３に記憶することによって着信履歴を更新する。
【００４１】
また、通信圏外にある子機２０−２は、ステップＳ４０２において親機１０から転送された外線を正常に着信することができないため、親機１０にＡＣＫ信号を送信することはなく、着信履歴の更新も行わない。
【００４２】
親機１０は、ステップＳ４０３において着信履歴の更新を行うと、各子機２０−１，２０−２からのＡＣＫ信号を受信したか否かをＡＣＫ判定部１８において判別し、ＡＣＫ信号を受信している子機２０−１については正常に着信を行ったとみなし、ＡＣＫ信号を受信していない子機２０−２については親機の通信圏外にいるか通信エラー等を生じている状態であるとみなす。その後、親機１０は各子機から圏内通知信号を受信するまで待機する。
【００４３】
子機２０−１および２０−２は、それぞれの圏内通知送信手段２９が圏内通知信号を所定時間間隔毎に親機１０に対して送信しており、子機２０−１および２０−２が親機１０の通信圏内に存在する場合は、この圏内通知信号が親機１０に到達する（ステップＳ５０４、Ｓ６０１）。
【００４４】
親機１０は、圏内通知信号を受信すると、ステップＳ４０４において、全ての子機からのＡＣＫ信号を受信したか否かをＡＣＫ判定部において判別し、全ての子機からＡＣＫ信号を受信している場合には、全ての子機において正常に着信されたものとみなし処理を終了し、全ての子機からＡＣＫ信号を受信していない場合には、ステップＳ４０５において、親機データ送信手段１９が親機記憶部１３に記憶されている着信履歴データを無線部１７を介して子機２０−１および２０−２に送信する。なお、このとき親機１０から各子機２０−１，２０−２に送信される着信履歴データは最新の着信履歴だけでもよいし、親機記憶部１３に記憶されている全ての着信履歴データであってもよい。
【００４５】
各子機２０−１，２０−２は、それぞれの子機データ受信手段２８において親機１０から送信されてきた着信履歴データを受信し、通信圏外にいたため最新の着信履歴がない子機２０−２は、ステップＳ６０２において、受信した着信履歴データを子機記憶部２３に記憶することにより着信履歴を更新する。また、通信圏内にいた子機２０−１は受信した着信履歴データを破棄して着信履歴の更新は行わない。
【００４６】
なお、親機１０から送信された着信履歴データが最新の着信履歴だけであれば、子機データ受信手段２８はこの最新の着信履歴を子機記憶部２３に既に記憶されている着信履歴データに付加して記憶する。一方、親機１０から送信されてきた着信履歴データが親機１０に記憶された全ての着信履歴データである場合には、子機データ受信手段２８は子機記憶部２３に記憶されていない着信履歴データだけを抽出して子機記憶部２３に記憶させる。
【００４７】
また、上記実施例では、通信圏内にいた子機２０−１は親機から受信した着信履歴データを破棄して着信履歴の更新を行わない場合について説明したが、これに限ることなく、受信した着信履歴データによって子機記憶部２３に既に記憶されているデータを上書きすることによって着信履歴の更新を行ってもよい。
【００４８】
さらに、上記実施例では、親機１０が全ての子機からＡＣＫ信号を受信していないと、全ての子機２０−１，２０−２に着信履歴データを送信する場合について説明したが、これに限ることなく、ＡＣＫ判定部においてＡＣＫ信号を受信した際にそのＡＣＫ信号を送信した子機を特定して記憶しておき、ＡＣＫ信号を送信しなかった子機２０−２に対してだけ着信履歴データを送信するようにしてもよい。
【００４９】
また、上記実施例では、親機１０が子機からの圏内通知信号を受信すると全ての子機からＡＣＫ信号を受信したか否かを判別する場合について説明したが、これに限ることなく、各子機に外線着信を転送してから所定時間経過後に判別処理を行ってもよい。
【００５０】
以上説明したように、外線着信時に子機より外線着信に対してのＡＣＫ信号を受信したか否かの判断を親機において行い、このＡＣＫ信号を受信していないとの判断に基づき、子機が無線エラーや圏外エラーなどの何らかの要因で着信状態にならなかったと見なし、親機から子機へ着信履歴データを送信する。これにより、親機には着信履歴データが記憶されているのに子機には記憶されていないといった着信履歴データの食い違いを防止することが可能となる。また、比較的使用頻度が高いとされる子機において着信履歴データの記憶漏れを防止することもできるので、ユーザの利便性を向上させることができる。
【００５１】
また、子機が親機の通信圏内に復帰した際には自動的に子機２０に親機に記憶されているデータが送信されて子機に記憶されるようになるから、親機と子機の着信履歴データや電話帳データを常に共通化することができる。このようにすれば、子機が親機の通信圏内に復帰した際に、通信圏外中に親機にナンバーディスプレイ着信のあった電話番号に、子機の着信履歴データを参照して子機から発信することが可能となる。
【図面の簡単な説明】
【００５２】
【図１】本発明の実施例にかかるコードレス電話システムの全体概略図である。
【図２】図１のコードレス電話システムを構成する親機の内部ブロック図である。
【図３】図１のコードレス電話システムを構成する子機の内部ブロック図である。
【図４】本発明の実施例にかかるコードレス電話システムにおいて着信履歴データを送信する方法を示すフローチャートである。
【符号の説明】
【００５３】
１・・・・親子電話システム
２・・・・公衆電話回線網
３・・・・外部電話回線
４・・・・内部電話回線
１０・・・・親機
１１、２１・・・・制御部
１２、２２・・・・操作・表示部
１３・・・・親機記憶部
１４、２４・・・・音声入出力部
１５・・・・電話回線制御部
１６、２５・・・・音声信号処理部
１７、２６・・・・無線部
１８・・・・ＡＣＫ判定部
１９・・・・親機データ送信部
２０・・・・子機
２３・・・・子機記憶部
２７・・・・ＡＣＫ信号送信部
２８・・・・子機データ受信部
２９・・・・圏内通知送信部
【図１】
2009232231.tif 000003
【図２】
2009232231.tif 000004
【図３】
2009232231.tif 000005
【図４】
2009232231.tif 000006